(57)【要約】【課題】ヘッダー用継手同士の接続作業等が簡単で、各ヘッダー用継手を捻じれが生じることなく直立姿勢を保って接続することができ、接続される排水枝管の流れ勾配が逆勾配となって排水の円滑な流れが妨げられることもない排水ヘッダーを提供する。【解決手段】両端に挿口１ｂと受口１ａを有し、かつ、側面に排水枝管の接続口１ｃを有する複数のヘッダー用継手１を一列に並べて、各継手１の挿口１ｂを隣りの継手１の受口１ａに挿入して接続した排水ヘッダーにおいて、挿口１ｂを受口１ａに挿入したときの相対的な回動を阻止する回り止め手段として、挿口１ｂの付根部分の外面に周方向に小間隔をあけて形成された一対の凸部１ｆと、受口１ａの開口端縁から突設されて上記一対の凸部１ｆの相互間に挿入される突片１ｇよりなる手段を各ヘッダー用継手１に設ける。【選択図】　図１
2004137733.tif 000002
【特許請求の範囲】
【請求項１】
両端に挿口と受口を有し、かつ、側面に排水枝管の接続口を有する複数のヘッダー用継手を一列に並べて、それぞれのヘッダー用継手の挿口を隣りのヘッダー用継手の受口に挿入することにより、ヘッダー用継手を互いに接続すると共に、上流側端部に位置するヘッダー用継手に、排水主管の接続口を有するか又は有しない端部閉塞材を接続し、下流側端部に位置するヘッダー用継手に、排水主管の接続口を有する端部閉塞材を接続して成る排水ヘッダーであって、
上記挿口を上記受口に挿入したときの相対的な回動を阻止する回り止め手段がそれぞれのヘッダー用継手に設けられていることを特徴とする排水ヘッダー。
【請求項２】
回り止め手段が、ヘッダー用継手の挿口の付根部分の外面に周方向に小間隔をあけて形成された一対の凸部と、ヘッダー用継手の受口の開口端縁から突設されて先端部が上記一対の凸部の相互間に挿入される突片より成るものである、請求項１に記載の排水ヘッダー。
【請求項３】
下流側端部に位置するヘッダー用継手に接続される端部閉塞材がヘッダー用継手の受口と同じ受口を有し、この端部閉塞材の受口の開口端縁にも回り止め手段の突片が突設されている、請求項２に記載の排水ヘッダー。
【請求項４】
上流側端部に位置するヘッダー用継手に接続される端部閉塞材がヘッダー用継手の挿口と同じ挿口を備え、この端部閉塞材の挿口の付根部分の外面にも、回り止め手段の一対の凸部が形成されている、請求項２に記載の排水ヘッダー。
【請求項５】
ヘッダー用継手の受口の外面と端部閉塞材の受口の外面に、ヘッダー固定具の保持帯に形成された孔に嵌まり込んでヘッダーの浮上を防止する浮上防止突起が突設されている、請求項３に記載の排水ヘッダー。
【発明の詳細な説明】
【０００１】
【発明の属する技術分野】
本発明は、浴室、洗面台、台所等のからの各排水を合流させて屋外に排水する排水ヘッダーに関する。
【０００２】
【従来の技術】
近年、床下に排水ヘッダーを設置し、この排水ヘッダーに浴室、洗面台、台所等からの排水枝管を接続して各排水を合流させ、家屋の基礎コンクリートに埋設した基礎貫通部材に排水ヘッダーからの排水主管を接続して屋外に排水するようにした排水システムが提案されている。このような排水システムを採用すると、屋外に設置する排水桝の個数を従来の半数以下に削減して大幅なコストダウンと屋外の美観の向上を図ることができるため、今後、急激に普及するものと思われる。
【０００３】
上記の排水システムに使用される排水ヘッダーとしては、例えば図１１に示すような構造のものが知られている。この排水ヘッダーは、両端にフランジ１０１を有し、かつ、側面に排水枝管の接続口１０２を有する複数のヘッダー用継手１０３を一列に並べ、互いに隣接するヘッダー用継手１０３のフランジ１０１同士をボルト・ナット１０４で結合して接続すると共に、排水主管１０５ａ，１０５ｂの接続口１０６ａ，１０６ｂを有する端部閉塞材１０７ａ，１０７ｂのそれぞれのフランジ１０１を上記と同様にボルト・ナット１０４で結合して、ヘッダー両端に端部閉塞材１０７ａ，１０７ｂを取付けたものである。
【０００４】
しかしながら、この排水ヘッダーは、ボルト・ナット１０４でフランジ１０１同士を結合してヘッダー用継手１０３を接続する作業や、端部閉塞材１０７ａ，１０７ｂを接続する作業が面倒で手間がかかるという問題があった。
【０００５】
【発明が解決しようとする課題】
そこで、本発明者らは、両端に挿口と受口を有し、かつ、側面に排水枝管の接続口を有する複数のヘッダー用継手を一列に並べて、それぞれのヘッダー用継手の挿口を隣りのヘッダー用継手の受口に挿入することにより、ヘッダー用継手を互いに接続すると共に、両端に位置するヘッダー用継手に端部閉塞材を接続した排水ヘッダーを開発した。この排水ヘッダーは、挿口を受口に挿入することによって、ヘッダー用継手を簡単に接続できるという利点を有するが、その反面、次のような解決すべき課題が残されていた。
【０００６】
即ち、各ヘッダー用継手の挿口を隣りのヘッダー用継手の受口に挿入する際、挿口と受口が相対的に回動しやすいため、各ヘッダー用継手が少し捻じれた状態で接続される恐れが多々あった。各ヘッダー用継手が捻じれた状態で接続されると、ヘッダー用継手の側面に形成された排水枝管接続口の角度（突き出す角度）が変わるため、該接続口に接続される排水枝管の流れ勾配が逆向きとなって排水の円滑な流れを妨げるという問題が生じる。
【０００７】
本発明は、斯かる問題を解決し得る排水ヘッダーを提供することを目的としている。
【０００８】
【課題を解決するための手段】
上記目的を達成するため、本発明に係る排水ヘッダーは、両端に挿口と受口を有し、かつ、側面に排水枝管の接続口を有する複数のヘッダー用継手を一列に並べて、それぞれのヘッダー用継手の挿口を隣りのヘッダー用継手の受口に挿入することにより、ヘッダー用継手を互いに接続すると共に、上流側端部に位置するヘッダー用継手に、排水主管の接続口を有するか又は有しない端部閉塞材を接続し、下流側端部に位置するヘッダー用継手に、排水主管の接続口を有する端部閉塞材を接続して成る排水ヘッダーであって、上記挿口を上記受口に挿入したときの相対的な回動を阻止する回り止め手段がそれぞれのヘッダー用継手に設けられていることを特徴とするものである。
【０００９】
このような排水ヘッダーは、挿口を受口に挿入してヘッダー用継手を接続するとき、回り止め手段によって挿口と受口の相対的な回動が阻止されるため、ヘッダー用継手が捻じれを生じることなく直立姿勢を保って接続されることになる。従って、排水枝管の接続口の角度が変わらないので、該接続口に接続される排水枝管の流勾配が逆勾配となることがなく、排水の円滑な流れを確保することができる。なお、この排水ヘッダーは、起点用の排水ヘッダーとして床下に設置される場合には、上流側端部に位置するヘッダー用継手に、排水主管の接続口を有しない端部閉塞材が接続されることになり、また、この排水ヘッダーが排水管路の途中に設置される場合には、上流側端部に位置するヘッダー用継手に、排水主管の接続口を有する端部閉塞材が接続されることになる。
【００１０】
本発明の排水ヘッダーに採用される回り止め手段としては、ヘッダー用継手の挿口の付根部分の外面に周方向に小間隔をあけて形成された一対の凸部と、ヘッダー用継手の受口の開口端縁から突設されて先端部が上記一対の凸部の相互間に挿入される突片より成るものが好ましい。
【００１１】
このような回り止め手段を設けると、各ヘッダー用継手の挿口を隣りのヘッダー用継手の受口に挿入したとき、受口の開口端縁から突き出す突片の先端部が、挿口の付根部分に形成された一対の凸部の相互間に挿入されて、突片の先端部と一対の凸部が回転方向に係合し、挿口と受口の相対的な回動が確実に阻止されるため、各ヘッダー用継手を直立姿勢に保ったまま接続することができる。
【００１２】
また、上記の一対の凸部と突片からなる回り止め手段を設けた排水ヘッダーにおいては、下流側端部に位置するヘッダー用継手に接続される端部閉塞材がヘッダー用継手の受口と同じ受口を有し、この端部閉塞材の受口の開口端縁にも回り止め手段の突片が突設されていることが好ましい。
【００１３】
このような構成の排水ヘッダーは、下流側端部に位置するヘッダー用継手の挿口を端部閉塞材の受口に挿入することによって簡単に端部閉塞材を接続することができ、そのとき端部閉塞材の突片がヘッダー用継手の一対の凸部の相互間に挿入されて挿口と受口の相対的な回動が阻止されるため、下流側の端部閉塞材も捻じれを生じることなく接続できるようになる。
【００１４】
また、上記の一対の凸部と突片からなる回り止め手段を設けた排水ヘッダーにおいては、上流側端部に位置するヘッダー用継手に接続される端部閉塞材がヘッダー用継手の挿口と同じ挿口を備え、この端部閉塞材の挿口の付根部分の外面にも、回り止め手段の一対の凸部が形成されていることが好ましい。
【００１５】
このような構成の排水ヘッダーは、端部閉塞材の挿口を上流側端部に位置するヘッダー用継手の受口に挿入することによって簡単に端部閉塞材を接続することができ、そのときヘッダー用継手の突片が端部閉塞材の一対の凸部の相互間に挿入されて挿口と受口の相対的な回動が阻止されるため、上流側の端部閉塞部材も捻じれを生じることなく接続できるようになる。
【００１６】
更に、本発明の排水ヘッダーにおいては、ヘッダー用継手の受口の外面と端部閉塞材の受口の外面に、ヘッダー固定具の保持帯に形成された孔に嵌まり込んでヘッダーの浮上を防止する浮上防止突起を突設することが好ましい。
【００１７】
このような排水ヘッダーは、浮上防止突起がヘッダー固定具の保持帯の孔に嵌まり込み、回動したり浮上することなく保持帯によって確実に保持、固定されるので、排水ヘッダーの軸方向の回動及び勾配を一定に保つことができる。
【００１８】
【発明の実施の形態】
以下、図面を参照して本発明の具体的な実施形態を詳述する。
【００１９】
図１は本発明の一実施形態に係る排水ヘッダーの斜視図、図２はキャップを分離して示す同排水ヘッダーのヘッダー用継手の正面図、図３はキャップを分離して示す同ヘッダー用継手の平面図、図４はキャップを分離して示す同ヘッダー用継手の左側面図、図５は図３のＡ−Ａ線およびＢ−Ｂ線に沿った同ヘッダー用継手およびキャップの断面図、図６は同ヘッダー用継手の接続状態を示す正面図、図７は同排水ヘッダーの下流側端部のヘッダー用継手に接続される端部閉塞材の断面図、図８は同排水ヘッダーの上流側端部のヘッダー用継手に接続される端部閉塞材の断面図である。
【００２０】
この排水ヘッダーは、図１に示すように、複数（図例では四つ）のヘッダー用継手１を一列に並べて接続すると共に、上流側端部および下流側端部に位置するヘッダー用継手１，１に端部閉塞材２，３をそれぞれ接続したものである。
【００２１】
ヘッダー用継手１は、ポリ塩化ビニル等の合成樹脂を射出成形したものであって、図４に示すような略卵形管状に成形されているため、排水の流れが良好である。図１〜図６に示すように、このヘッダー用継手１の一端（上流側端）には受口１ａが形成されており、他端（下流側端）には、該受口１ａに挿入される挿口１ｂが形成されている。そして、このヘッダー用継手１の側面の上部には、排水枝管の接続口１ｃが水平もしくは排水枝管の流れ勾配に等しい角度（１〜２°）で突設されている。また、このヘッダー用継手１の上面中央部には点検口１ｄが形成されており、この点検口１ｄにはキャップ１ｅが螺合されて開閉自在に取付けられている。従って、このキャップ１ｅを外せば、ヘッダー用継手１の内部点検や内部清掃を簡単に行うことができるようになっている。
【００２２】
更に、このヘッダー用継手１の両側には、一対の凸部１ｆ，１ｆと突片１ｇとで構成される回り止め手段が一組ずつ形成されている。凸部１ｆは、図２，図３に示すように、挿口１ｂの付根部分の両側外面に、周方向上下に小間隔をあけて一対ずつ形成されており、突片１ｇは、受口１ａの開口端縁の対向箇所から一つずつ上流側に突き出して形成されている。この突片１ｇの上下幅は、一対の凸部１ｆ，１ｆの相互間隔より僅かに小さく設定されており、また、この突片１ｇの高さ位置は、一対の凸部１ｆ，１ｆの丁度中間の高さ位置となっている。
【００２３】
従って、図６に示すように一方のヘッダー用継手１の挿口１ｂを他方のヘッダー用継手１の受口１ａに挿入すると、他方のヘッダー用継手１の突片１ｇの先端部が、一方のヘッダー用継手１の一対の凸部１ｆ，１ｆの相互間に挿入されて、突片１ｇの先端部と一対の凸部１ｆ，１ｆが周方向（回転方向）に係合し、挿口１ｂと受口１ａの相対的な回動が確実に阻止されるため、双方のヘッダー用継手１，１が捻じれを生ずることなく直立姿勢を保ったまま接続されるようになる。そして、この要領でヘッダー用継手１を幾つ接続しても、図１に示すように、それぞれのヘッダー用継手１の突片１ｇが、その隣りのヘッダー用継手１の一対の凸部１ｆ，１ｆの間に嵌まり込んで、挿口１ｂと受口１ａの相対的な回動が阻止されるため、どのヘッダー用継手１も直立姿勢を保ったまま接続されることになり、捻じれがなく外観が良好で排水枝管接続口１ｃの突出角度が一定した排水ヘッダーを組立てることが可能となる。
【００２４】
この排水ヘッダーの下流側端部のヘッダー用継手１に接続される合成樹脂製の端部閉塞材３は、図７に示すように、その一端（上流側端）にヘッダー用継手１の受口１ａと同じ受口３ａを形成すると共に、他端（下流側端）に下流側の排水主管４ｂを接続する接続口３ｂを下方に偏位させて形成したものであり、この端部閉塞材３の受口３ａの開口端縁にも、前述の回り止め手段の突片１ｇと同じ突片３ｃが二つ突設されている。
【００２５】
上記の端部閉塞材３は、その受口３ａに下流側端部のヘッダー用継手１の挿口１ｂを挿入することによって接続されており、この接続のときに、端部閉塞材３の突片３ｃがヘッダー用継手１の一対の凸部１ｆ，１ｆの相互間に挿入されて挿口１ｂと受口３ａの相対的な回動が阻止されるため、この端部閉塞材３も捻じれを生じることはない。
【００２６】
また、排水ヘッダーの上流側端部のヘッダー用継手１に接続される合成樹脂製の端部閉塞材２は、図８に示すように、その一端（上流側端）に上流側の排水主管４ａを接続する接続口２ｂを上方へ偏位させて形成すると共に、他端（下流側端）にヘッダー用継手１の挿口１ｂと同じ挿口２ａを形成したものであり、この端部閉塞材２の挿口２ａの付根部分の両側外面には、前述した回り止め手段の凸部１ｆと同じ凸部２ｃが周方向上下に小間隔をあけて一対ずつ形成されている。
【００２７】
上記の端部閉塞材２は、その挿口２ａを上流側端部のヘッダー用継手１の受口１ａに挿入することによって接続されており、この接続のときに、ヘッダー用継手１の突片１ｇが端部閉塞材２の一対の凸部２ｃ，２ｃの相互間に挿入されて挿口２ａと受口１ａの相対的な回動が阻止されるため、この端部閉塞材２も捻じれを生じることはない。
【００２８】
尚、ヘッダー用継手１，１同士の接続や、ヘッダー用継手１と端部閉塞材２，３との接続は、挿口１ｂ，２ａを受口１ａ，３ａに挿入するときに接着剤を塗布して接着することにより、水密的に行うことは言うまでもない。
【００２９】
また、この実施形態の排水ヘッダーは、排水管路の途中に設置するものであるため、排水主管４ａの接続口２ｂを有する端部閉塞材２を、排水ヘッダーの上流側端部のヘッダー用継手１に接続しているが、起点用の排水ヘッダーとして床下に設置する場合は、排水主管４ａの接続口２ｂがない端部閉塞材２を上流側端部のヘッダー用継手１に接続すればよい。
【００３０】
図９に示すように、この排水ヘッダーは、その両端部をヘッダー固定具５，５で支えることによって家屋の床下に設置される。そして、上流側の端部閉塞材２の接続口２ｂと下流側の端部閉塞材３の接続口３ｂには、上流側と下流側の排水主管４ａ，４ｂが接続され、それぞれのヘッダー用継手１の接続口１ｃには、浴室、洗面台、台所、洗濯器等からの排水枝管（図示せず）が接続される。
【００３１】
ヘッダー固定具５は、図９，図１０に示すように、排水ヘッダーを保持する金属製の保持帯５ａを左右一対の支持脚５ｂ，５ｂに高さ調節自在に取付けたものであって、保持帯５ａの左右上端の押え片５ｃ，５ｃには孔５ｄ，５ｄが形成されている。そして、排水ヘッダーの各ヘッダー用継手１の受口１ｂと下流側の端部閉塞材３の受口３ａには、上記の保持帯５ａを嵌める浅い凹溝１ｈ，３ｄが形成されており、この凹溝１ｈ，３ｄの両側には浮上防止突起１ｉ，３ｅが二つ形成されている。従って、この凹溝１ｈ，３ｄにヘッダー固定具５の保持帯５ａを下方から嵌めて排水ヘッダーを保持させると、浮上防止突起１ｉ，３ｅが保持帯５ａの孔５ｄに嵌まり込んで排水ヘッダーの浮上が防止されるため、保持帯５ａの高さを調節することにより排水ヘッダーを所定の勾配に保って固定することができ、排水ヘッダーの回動を阻止することもできる。
【００３２】
上記実施形態の排水ヘッダーではヘッダー用継手１を四つ接続しているが、排水枝管の本数に応じてヘッダー用継手１の接続数を増減すればよいことは言うまでもない。また、上記実施形態の排水ヘッダーでは、ヘッダー用継手１として、排水枝管の接続口１ｃの大きさが同一で、同じ側に接続口１ｃを形成したものを接続しているが、ヘッダー用継手１として、接続口１ｃの大きさが異なるものや、接続口１ｃを反対側に形成したもの等を種々取り揃えておき、家屋床下の排水枝管の配管状況に応じて、太い排水枝管でも、細い排水枝管でも、片側からでも、反対側からでも、自在に接続できるように、種々のヘッダー用継手を組み合わせて接続することが好ましい。
【００３３】
更に、上記実施形態の排水ヘッダーでは、突片１ｇと一対の凸部１ｆ，１ｆとで構成される回り止め手段をヘッダー用継手１の両側に一組ずつ形成しているが、この回り止め手段はヘッダー用継手の片側に一組だけ形成してもよく、場合によっては、ヘッダー用継手１の上側又は下側に一組だけ形成してもよい。また、回り止め手段は、突片１ｇと一対の凸部１ｆ，１ｆからなるものに限定されることはなく、受口１ａと挿口１ｂの相対的な回動を確実に阻止できるものであればどのようなものでも採用可能であり、例えば、受口１ａの内面に凹溝を形成すると共に、この凹溝に嵌まり込む突起を挿口１ｂの外面に形成してなる回り止め手段なども好ましく採用される。
【００３４】
【発明の効果】
以上の説明から明らかなように、本発明の排水ヘッダーは、ヘッダー用継手同士の接続作業や、ヘッダー用継手と端部閉塞材との接続作業が簡単であり、しかも、回り止め手段によって捻じれを生じることなく直立姿勢を保って各ヘッダー用継手を接続することができ、排水主管の接続口の角度が変化しないので、該接続口に接続される排水枝管の流れ勾配が逆向きになって排水の円滑な流れが妨げられることもなくなる、といった顕著な効果を奏する。
【図面の簡単な説明】
【図１】本発明の一実施形態に係る排水ヘッダーの斜視図である。
【図２】キャップを分離して示す同排水ヘッダーのヘッダー用継手の正面図である。
【図３】キャップを分離して示す同ヘッダー用継手の平面図である。
【図４】キャップを分離して示す同ヘッダー用継手の左側面図である。
【図５】図３のＡ−Ａ線およびＢ−Ｂ線に沿った同ヘッダー用継手およびキャップの断面図である。
【図６】同ヘッダー用継手の接続状態を示す正面図である。
【図７】同排水ヘッダーの下流側端部のヘッダー用継手に接続される端部閉塞材の断面図である。
【図８】同排水ヘッダーの上流側端部のヘッダー用継手に接続される端部閉塞材の断面図である。
【図９】同排水ヘッダーの設置状態を示す斜視図である。
【図１０】同排水ヘッダーの設置に用いるヘッダー固定具の正面図である。
【図１１】従来の排水ヘッダーの説明図である。
【符号の説明】
１　ヘッダー用継手
１ａ　受口
１ｂ　挿口
１ｃ　排水枝管の接続口
１ｆ　回り止め手段の凸部
１ｇ　回り止め手段の突片
１ｉ　浮上防止突起
２　上流側の端部閉塞材
２ａ　挿口
２ｂ　排水主管の接続口
２ｃ　凸部
３　下流側の端部閉塞材
３ａ　受口
３ｂ　排水主管の接続口
３ｃ　突片
３ｅ　浮上防止突起
４ａ，４ｂ　排水主管
５　ヘッダー固定具
５ａ　保持帯
５ｄ　孔
【図１】
2004137733.tif 000003
【図２】
2004137733.tif 000004
【図３】
2004137733.tif 000005
【図４】
2004137733.tif 000006
【図５】
2004137733.tif 000007
【図６】
2004137733.tif 000008
【図７】
2004137733.tif 000009
【図８】
2004137733.tif 000010
【図９】
2004137733.tif 000011
【図１０】
2004137733.tif 000012
【図１１】
2004137733.tif 000013